【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
熱くて湿った食物用の包装であって、
包装が、コーティング組成物で被覆された紙又は板紙であり、被覆が水性エマルションポリマーを含み、ポリマーが、
ｉ）皮膜形成性コポリマーを得るために、１つの又は複数の（メタ）アクリレートモノマー及び１つの又は複数のビニルモノマーから形成されるコポリマー
（ここで、皮膜形成性ポリマーは安定化ポリマーの存在下で形成され、
安定化ポリマーは、（メタ）アクリル酸モノマー又は（メタ）アクリル酸モノマーの混合物を、（メタ）アクリル酸モノマー以外のビニルモノマー又はビニルモノマーの混合物と共重合することにより形成される酸含有コポリマーである）
及び
ｉｉ）場合により、他の添加剤又は添加剤の混合物
を含み、
コート紙又は板紙が、約３以下のバンズ剥離評価を有する、包装。
【請求項２】
コーティング組成物の他の添加剤又は添加剤の混合物が、増粘剤、脱泡剤又は消泡剤、顔料、滑剤、剥離剤、フルオロケミカル、デンプン、ワックス及び粘着防止剤からなる群より選択される、請求項１記載の包装。
【請求項３】
コーティング組成物のフルオロケミカルが、ペルフルオロアルキルアルカノールのリン酸ジエステル、ジ−ペルフルオロアルキル置換カルボン酸、両性ペルフルオロアルキル置換カルボン酸、及びポリ−ペルフルオロアルキル（メタ）アクリレートのコポリマーからなる群より選択される、請求項２記載の包装。
【請求項４】
コーティング組成物のデンプンが、架橋デンプン、安定化デンプン、アセチル化デンプン又は有機的にエステル化されたデンプン、ヒドロキシエチル化デンプン又はヒドロキシプロピル化されたデンプン、リン酸化デンプン又は無機的にエステル化されたデンプン、カチオン性デンプン、アニオン性デンプン、非イオン性デンプン、双性イオン性デンプン、及びコハク酸デンプン又は置換コハク酸デンプンからなる群より選択される、請求項２記載の包装。
【請求項５】
コーティング組成物の皮膜形成性の１つの又は複数の（メタ）アクリレートモノマーが、ｎ−ブチル（メタ）アクリレート、２−エチルヘキシル（メタ）アクリレート、ヘキシル（メタ）アクリレート、イソプロピル（メタ）アクリレート、デシル又はラウリル（メタ）アクリレート、ｔ−ブチル（メタ）アクリレート、イソブチル（メタ）アクリレート、エチル（メタ）アクリレート、グリシジル（メタ）アクリレート、ヒドロキシアルキル（メタ）アクリレート、ジカルボン酸エステルモノマー及びプロピル（メタ）アクリレートからなる群より選択される、請求項１記載の包装。
【請求項６】
コーティング組成物の皮膜形成性の１つの又は複数のビニルモノマーが、メチル（メタ）アクリレート、イソブチル（メタ）アクリレート、スチレン、α−メチルスチレン、アルキル化スチレン及びこれらの混合物からなる群より選択される、請求項１記載の包装。
【請求項７】
コーティング組成物が、約２５℃以下の最低皮膜形成温度を有する、請求項１記載の包装。
【請求項８】
コーティング組成物が、約５０℃未満のガラス転移温度を有する、請求項１記載の包装。
【請求項９】
熱くて湿った食物が、パン、バンズ、ラップパン、サンドイッチ、フライドポテト及びポケットパンからなる群より選択される、請求項１記載の包装。
【請求項１０】
熱くて湿った食物を包装する方法であって、
ａ）紙若しくは板紙容器、又は包装紙を、
ｉ）皮膜形成性コポリマーを得るために、１つの又は複数の（メタ）アクリレートモノマー及び１つの又は複数のビニルモノマーから形成されるコポリマー
及び
ｉｉ）場合により、他の添加剤又は添加剤の混合物
を含む水性エマルションポリマーを含むコーティング組成物で被覆する工程と、
ｂ）被覆を乾燥する工程と、
ｃ）熱くて湿った食物を、コート紙若しくは板紙容器又は包装紙と接触させる工程と
を含み、
食物が紙又は板紙の内にあって加熱されてもよく、あるいは食物が加熱された後に包まれてもよい
方法。
【請求項１１】
１つの又は複数の（メタ）アクリレートモノマーが、ｎ−ブチル（メタ）アクリレート、２−エチルヘキシル（メタ）アクリレート、ヘキシル（メタ）アクリレート、イソプロピル（メタ）アクリレート、デシル又はラウリル（メタ）アクリレート、ｔ−ブチル（メタ）アクリレート、イソブチル（メタ）アクリレート、エチル（メタ）アクリレート、グリシジル（メタ）アクリレート、ヒドロキシアルキル（メタ）アクリレート、ジカルボン酸エステルモノマー及びプロピル（メタ）アクリレートからなる群より選択される、請求項１０記載の方法。
【請求項１２】
１つの又は複数の（メタ）アクリレートモノマーが、ｎ−ブチル（メタ）アクリレート、２−エチルヘキシル（メタ）アクリレート及びｔ−ブチル（メタ）アクリレート又はこれらの混合物からなる群より選択される、請求項１１記載の方法。
【請求項１３】
皮膜形成性コポリマーの１つの又は複数のビニルモノマーが、メチル（メタ）アクリレート、イソブチル（メタ）アクリレート、スチレン、α−メチルスチレン、アルキル化スチレン及びこれらの混合物からなる群より選択される、請求項１０記載の方法。
【請求項１４】
他の添加剤又は添加剤の混合物が、増粘剤、脱泡剤又は消泡剤、顔料、滑剤、剥離剤、フルオロケミカル、デンプン、ワックス及び粘着防止剤からなる群より選択される、請求項１０記載の方法。
【請求項１５】
添加剤又は添加剤の混合物が、フルオロケミカル、デンプン、ワックス及びこれらの混合物からなる群より選択される、請求項１４記載の方法。
【請求項１６】
フルオロケミカルが、ペルフルオロアルキルアルカノールのリン酸ジエステル、ジ−ペルフルオロアルキル置換カルボン酸、両性ペルフルオロアルキル置換カルボン酸、及びポリ−ペルフルオロアルキル（メタ）アクリレートのコポリマーからなる群より選択される、請求項１５記載の方法。
【請求項１７】
デンプンが、架橋デンプン、安定化デンプン、アセチル化デンプン又は有機的にエステル化されたデンプン、ヒドロキシエチル化デンプン又はヒドロキシプロピル化されたデンプン、リン酸化デンプン又は無機的にエステル化されたデンプン、カチオン性デンプン、アニオン性デンプン、非イオン性デンプン、双性イオン性デンプン、及びコハク酸デンプン又は置換コハク酸デンプンからなる群より選択される変性デンプンである、請求項１５記載の方法。
【請求項１８】
ワックスが、パラフィンワックス、カンデリラ、カルナウバ、微結晶性ワックス、ポリエチレンワックス又はワックスの２つ以上のブレンドからなる群より選択される、請求項１５記載の方法。
【請求項１９】
コーティング組成物が、約２５℃以下の最低皮膜形成温度を有する、請求項１０記載の方法。
【請求項２０】
コート紙が約３以下のバンズ剥離評価を有する、請求項１０記載の方法。
【請求項２１】
熱くて湿った食物が、パン、バンズ、ラップパン、サンドイッチ、フレンチフライ及びポケットパンからなる群より選択される、請求項１０記載の方法。
【請求項２２】
皮膜形成性ポリマーが安定化ポリマーの存在下で重合され、安定化ポリマーが、（メタ）アクリル酸モノマー又は（メタ）アクリル酸モノマーの混合物を、（メタ）アクリル酸モノマー以外のビニルモノマー又はビニルモノマーの混合物と共重合することにより形成される酸含有コポリマーである、請求項１０記載の方法。
【請求項２３】
ビニルモノマーのうち少なくとも１つが、スチレン、アルキル化スチレン、α−メチルスチレン、ブチル（メタ）アクリレート、メチル（メタ）アクリレート及びこれらの混合物からなる群より選択される、請求項１０記載の方法。
【請求項２４】
安定化ポリマーが、約７０℃から約１２０℃のＴｇを有する、請求項２２記載の方法。
【請求項２５】
紙又は板紙の表面から熱くて湿った食物を剥離させる方法であって、
熱くて湿った食物を剥離させる方法が、
ａ）紙又は板紙を、水性エマルションポリマーを含む組成物で被覆する工程であり、ポリマーが、
ｉ）皮膜形成性コポリマーを得るために、１つの又は複数の（メタ）アクリレートモノマー及び１つの又は複数のビニルモノマーから形成されるコポリマー
及び
ｉｉ）場合により、他の添加剤又は添加剤の混合物
を含む工程と、
ｂ）被覆を乾燥する工程と、
ｃ）コート紙又は板紙を食物と接触させる工程と、
ｄ）コート紙を食物との接触から外す工程と
を含む方法。
【請求項２６】
コーティング組成物が、ペルフルオロアルキルアルカノールのリン酸ジエステル、ジ−ペルフルオロアルキル置換カルボン酸、両性ペルフルオロアルキル置換カルボン酸、及びポリ−ペルフルオロアルキル（メタ）アクリレートのコポリマーからなる群より選択されるフルオロケミカルを更に含む、請求項２５記載の方法。
【請求項２７】
熱くて湿った食物を包装し、配送の間、これらの食料品の温度を保つ方法であって、食物を包装し、その温度を保つ方法が、
ａ）紙又は板紙を、
ｉ）皮膜形成性コポリマーを得るために、１つの又は複数の（メタ）アクリレートモノマー及び１つの又は複数のビニルモノマーから形成されるコポリマー
及び
ｉｉ）場合により、他の添加剤又は添加剤の混合物
を含む水性エマルションポリマーを含むコーティング組成物で被覆する工程と、
ｂ）被覆を乾燥する工程と、
ｃ）熱くて湿った食物をコート紙若しくは板紙容器又は包装紙で包むか又は封じる工程とを含み、食物が、コート紙又は板紙の内にあって加熱されてもよく、あるいは食物が加熱された後にコート紙又は板紙に包まれてもよい
方法。
【請求項２８】
水性エマルションポリマーが、パラフィンワックス、カンデリラ、カルナウバ、微結晶性ワックス、ポリエチレンワックス又はワックスの２つ以上のブレンドからなる群より選択されるワックスを追加的に含む、請求項２７記載の方法。
【請求項２９】
水性エマルションポリマーが、パラフィンワックス、カンデリラ、カルナウバ、微結晶性ワックス、ポリエチレンワックス又はワックスの２つ以上のブレンドからなる群より選択されるワックスを追加的に含み、コート紙又は板紙が、約３以下のバンズ剥離評価を有する、請求項２８記載の方法。
【請求項３０】
耐油脂性を紙又は板紙に付与する方法であって、紙又は板紙材料を水性エマルションポリマーを含むコーティング組成物の有効量で処理することを含み、ポリマーが、
ｉ）皮膜形成性コポリマーを得るために、１つの又は複数の（メタ）アクリレートモノマー及び１つの又は複数のビニルモノマーから形成されるコポリマー
（ここで皮膜形成性ポリマーは、安定化ポリマーの存在下で形成され、安定化ポリマーは、（メタ）アクリル酸モノマー又は（メタ）アクリル酸モノマーの混合物を、（メタ）アクリル酸モノマー以外のビニルモノマー又はビニルモノマーの混合物と共重合することにより形成される酸含有コポリマーである）
及び
ｉｉ）場合により、他の添加剤又は添加剤の混合物
を含む方法。
【請求項３１】
エマルションポリマーが、コア−シェル粒子エマルションの形態である、請求項３０記載の方法。